(57)【要約】      （修正有）【課題】クライアントによって始動される通信伝送スキーム内でのマルチユーザによる通信用の方法と装置を提供する。【解決手段】複数のワイアレスノード内のワイアレスノードからデータを送信するための要求を受信するように構成された、受信するおよびデータ送信を可能にするために、複数のワイアレスノード内の１組のワイアレスノードにマルチキャストメッセージを送信する、ワイアレス通信のための方法であり、要求が媒体へのアクセスコンテンションプロセスの一部として受信される。【選択図】図７
2014239475.tif 000002
【特許請求の範囲】
【請求項１】
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとを備えるワイアレス通信用の方法。
【請求項２】
前記要求が媒体へのアクセスコンテンションプロセスの一部として受信される請求項１に記載の方法。
【請求項３】
前記媒体へのアクセスコンテンションプロセスがＥＤＣＡに基づくアクセスコンテンションを備える請求項２に記載の方法。
【請求項４】
前記マルチキャストメッセージがデータ送信を可能にするために前記１組のワイアレスノード内の少なくともひとつのワイアレスノード用の承認を備える請求項１に記載の方法。
【請求項５】
前記承認は、前記１組のワイアレスノード内の前記少なくともひとつのワイアレスノードが送信動作を実行するための媒体のリザベーションを備える請求項４に記載の方法。
【請求項６】
前記承認は、前記１組のワイアレスノード内の前記少なくともひとつのワイアレスノードが送信動作を実行する最長の持続時間を備える請求項４に記載の方法。
【請求項７】
利用可能な通信リソースもしくはＱｏＳ要件の少なくともひとつに基づいて前記１組のワイアレスノード内の前記ワイアレスノードを選択することをさらに備える請求項１に記載の方法。
【請求項８】
前記１組のワイアレスノードにチャネルトレーニング情報の要求を送信することをさらに備え、前記１組が前記ワイアレスノードを備える請求項１に記載の方法。
【請求項９】
前記チャネルトレーニング情報を受信することをさらに備える請求項８に記載の方法。
【請求項１０】
前記マルチキャストメッセージが空間ストリーム値、ＭＣＳ値もしくはパワーオフセット値の少なくともひとつを備える請求項１に記載の方法。
【請求項１１】
前記１組のワイアレスノード内の前記ワイアレスノードの少なくともひとつおよび前記ワイアレスノードからデータ送信を受信することをさらに備える請求項１に記載の方法。
【請求項１２】
前記１組のワイアレスノード内の前記ワイアレスノードの前記少なくともひとつおよび前記ワイアレスノードにブロック肯定応答メッセージを送信することをさらに備える請求項１１に記載の方法。
【請求項１３】
前記受信されたデータ送信が同時に送信されていた請求項１１に記載の方法。
【請求項１４】
複数のワイアレスノード内のひとつのワイアレスノードからデータを送信するための要求を受信するように、
データ送信を可能にするために前記複数のワイアレスノード内の１組のワイアレスノードにマルチキャストメッセージを送信するように構成される処理システムを備えるワイアレス通信用の装置。
【請求項１５】
前記要求が媒体へのアクセスコンテンションプロセスの一部として受信される請求項１４に記載の装置。
【請求項１６】
前記媒体へのアクセスコンテンションプロセスがＥＤＣＡに基づくアクセスコンテンションを備える請求項１５に記載の装置。
【請求項１７】
前記マルチキャストメッセージがデータ送信を可能にするために前記１組のワイアレスノード内の少なくともひとつのワイアレスノード用の承認を備える請求項１４に記載の装置。
【請求項１８】
前記承認は、前記１組のワイアレスノード内の前記少なくともひとつのワイアレスノードが送信動作を実行するための媒体のリザベーションを備える請求項１７に記載の装置。
【請求項１９】
前記承認は、前記１組のワイアレスノード内の前記少なくともひとつのワイアレスノードが送信動作を実行できる最長の持続時間を備える請求項１７の装置。
【請求項２０】
前記処理システムが利用可能な通信リソースもしくはＱｏＳ要件の少なくともひとつに基づいて前記１組のワイアレスノード内の前記ワイアレスノードを選択するようにさらに構成される請求項１４に記載の装置。
【請求項２１】
前記処理システムが前記１組のワイアレスノードにチャネルトレーニング情報の要求を送信するようにさらに構成され、前記１組が前記ワイアレスノードを備える請求項１４に記載の装置。
【請求項２２】
前記処理システムが前記チャネルトレーニング情報を受信するようにさらに構成される請求項２１に記載の装置。
【請求項２３】
前記マルチキャストメッセージが空間ストリーム値、ＭＣＳ値もしくはパワーオフセット値の少なくともひとつを備える請求項１４に記載の装置。
【請求項２４】
前記処理システムが前記１組のワイアレスノード内の前記ワイアレスノードの少なくともひとつおよび前記ワイアレスノードからデータ送信を受信するようにさらに構成される請求項１４に記載の装置。
【請求項２５】
前記処理システムが前記１組のワイアレスノード内の前記ワイアレスノードの前記少なくともひとつおよび前記ワイアレスノードにブロック肯定応答メッセージを送信するようにさらに構成される請求項２４に記載の装置。
【請求項２６】
前記受信されたデータ送信が同時に送信されていた請求項２４に記載の装置。
【請求項２７】
複数のワイアレスノード内のひとつのワイアレスノードからデータを送信するための要求を受信するための手段と、
データ送信を可能にするために前記複数のワイアレスノード内の１組のワイアレスノードにマルチキャストメッセージを送信するための手段とを備えるワイアレス通信用の装置。
【請求項２８】
前記要求が媒体へのアクセスコンテンションプロセスの一部として受信される請求項２７に記載の装置。
【請求項２９】
前記媒体へのアクセスコンテンションプロセスはＥＤＣＡに基づくアクセスコンテンションを備える請求項２８に記載の装置。
【請求項３０】
前記マルチキャストメッセージがデータ送信を可能にするために前記１組のワイアレスノード内の少なくともひとつのワイアレスノード用の承認を備える請求項２７に記載の装置。
【請求項３１】
前記承認は、前記１組のワイアレスノード内の前記少なくともひとつのワイアレスノードが送信動作を実行するための媒体のリザベーションを備える請求項３０に記載の装置。
【請求項３２】
前記承認は、前記１組の１組のワイアレスノード内の前記少なくともひとつのワイアレスノードが送信動作を実行する最長の持続時間を備える請求項３０に記載の装置。
【請求項３３】
利用可能な通信リソースもしくはＱｏＳ要件の少なくともひとつに基づいて前記１組のワイアレスノード内の前記ワイアレスノードを選択するための手段をさらに備える請求項２７に記載の装置。
【請求項３４】
前記１組のワイアレスノードにチャネルトレーニング情報の要求を送信するための手段をさらに備え、前記１組が前記ワイアレスノードを備える請求項２７に記載の装置。
【請求項３５】
前記チャネルトレーニング情報を受信するための手段をさらに備える請求項３４に記載の装置。
【請求項３６】
前記マルチキャストメッセージが空間ストリーム値、ＭＣＳ値もしくはパワーオフセット値の少なくともひとつを備える請求項２７に記載の装置。
【請求項３７】
前記１組のワイアレスノード内の少なくともひとつのワイアレスノードおよび前記ワイアレスノードからのデータ送信を受信するための手段をさらに備える請求項２７に記載の装置。
【請求項３８】
前記１組のワイアレスノード内の前記少なくともひとつのワイアレスノードおよび前記ワイアレスノードにブロック肯定応答メッセージを送信するための手段をさらに備える請求項３７に記載の装置。
【請求項３９】
前記受信されたデータ送信が同時に送信されていた請求項３７に記載の装置。
【請求項４０】
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとが実行可能な命令を備える機械読み取り可能媒体を備えるワイアレス通信用のコンピュータプログラム製品。
【請求項４１】
ひとつかそれ以上のアンテナと、
前記ひとつかそれ以上のアンテナを通じて複数のワイアレスノード内のワイアレスノードからデータを送信するための要求を受信するように構成された受信機と、
データ送信を可能にするために前記複数のワイアレスノード内のほかのワイアレスノードへマルチキャストメッセージを送信するように構成された送信機とを備えるアクセスポイント。
【請求項４２】
複数の他のワイアレスノードと媒体へのアクセスを競うことと、
１組のワイアレスノードへのデータ送信を可能にするマルチキャストメッセージを受信することと、
前記マルチキャストメッセージに基づいてデータを送信することとを備えるワイアレス通信用の方法。
【請求項４３】
データの前記送信に基づいてブロック肯定応答を受信することをさらに備える請求項４２の方法。
【請求項４４】
前記マルチキャストメッセージが送信持続時間を備え、ならびに前記方法が前記送信持続時間に基づいた予め決められた期間の間ブロック肯定応答を待つことをさらに備える請求項４３に記載の方法。
【請求項４５】
複数の他のワイアレスノードと媒体へのアクセスを競うように、
１組のワイアレスノードへのデータ送信を可能にするマルチキャストメッセージを受信するように、
前記マルチキャストメッセージに基づいてデータを送信するように構成された処理システムを備えるワイアレス通信用の装置。
【請求項４６】
前記処理システムがデータの前記送信に基づいてブロック肯定応答を受信するようにさらに構成される請求項４５に記載の装置。
【請求項４７】
前記マルチキャストメッセージが送信持続時間を備え、ならびに前記処理システムが前記送信持続時間に基づいて予め決められた期間の間前記ブロック肯定応答を待つようにさらに構成される請求項４６の装置。
【請求項４８】
複数の他のワイアレスノードと媒体へのアクセスを競うための手段と、
１組のワイアレスノードへのデータ送信を可能にするマルチキャストメッセージを受信するための手段と、
前記マルチキャストメッセージに基づいてデータを送信するための手段とを備えるワイアレス通信用の装置。
【請求項４９】
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとが実行可能な命令を備える機械読み取り可能媒体を備えるワイアレス通信用のコンピュータプログラム製品。
【請求項５０】
アンテナと、
前記アンテナに連結され、前記アンテナを使用して複数の他のワイアレスノードと媒体へのアクセスを競うように構成されたプロセッサと、
１組のワイアレスノードへのデータ送信を可能にするマルチキャストメッセージを受信するように構成された受信機と、
前記マルチキャストメッセージに基づいてデータを送信するように構成された送信機とを備える局。
【発明の詳細な説明】
【関連技術の参照】
【０００１】
［米国特許法１１９条に基づく優先権の主張］
本特許出願は、２００９年８月２５日に出願され、本発明の譲受人に譲渡され、参照により本明細書に明示的に組み込まれている「ＭＥＴＨＯＤ  ＡＮＤ  ＡＰＰＡＲＡＴＵＳ
ＦＯＲ  ＭＵＬＴＩＰＬＥ−ＵＳＥＲ  ＣＯＭＭＵＮＩＣＡＴＩＯＮ  ＩＮ  Ａ  ＣＬＩＥＮＴ  ＩＮＩＴＩＡＴＥＤ  ＣＯＭＭＵＮＩＣＡＴＩＯＮ  ＴＲＡＮＳＭＩＳＳＩＯＮ  ＳＣＨＥＭＥ」という名称の仮出願第６１／２３６，８５２号に優先権を主張する。
【技術分野】
【０００２】
以下の説明は一般的に通信システムに、より具体的に、クライアントによって始動される通信伝送スキーム内でのマルチユーザによる通信用の装置と方法のための装置と方法に関する。
【背景技術】
【０００３】
ワイアレス通信システム用に求められる、増加する帯域幅の要求の問題に取り組むために種々のスキームは、高いデータスループットを獲得している一方、チャネルリソースを共有することによって複数のユーザ端末が単一のアクセスポイントと通信することを可能にするように開発されている。多入力または多出力（ＭＩＭＯ）技術は、次世代通信システムで評判の技術として最近台頭してきているそのような手法の１つを表す。ＭＩＭＯ技術は、例えば米国電気電子技術者協会（ＩＥＥＥ）８０２．１１標準のようないくつかの台頭しつつあるワイアレス通信標準において採用されている。ＩＥＥＥ８０２．１１は、近距離通信（例えば何十メートルから何百メートル）のためにＩＥＥＥ８０２．１１委員会によって開発された１組のワイアレスローカルエリアネットワーク（ＷＬＡＮ）エアインターフェース標準を示す。
【０００４】
ワイアレス通信システムで、媒体アクセス（ＭＡＣ）プロトコルはエアリンク媒体によって提供されるいくつかの自由のディメンション（ｄｉｍｅｎｔｉｏｎ  ｏｆ  ｆｒｅｅｄｏｍ）を活用するために作動するように設計されている。最も一般に活用されている自由のディメンションは時間および周波数である。例えば、ＩＥＥＥ８０２．１１のＭＡＣプロトコルで、「時間」の自由のディメンションはＣＳＭＡ（搬送波感知多重アクセス）を通じて活用される。そのＣＳＭＡのプロトコルは、潜在的な高い干渉期間の間ひとつの送信しか起こらないことを確実にするように試みている。同様に、「周波数」の自由のディメンションは種々の周波数チャネルを使用することによって活用されることができる。
【０００５】
最近の開発は、既存の容量を増加する、もしくは少なくともより効果的に使用するために用いられる実行可能な選択であるディメンションとしての空間に結びついている。空間分割多元接続（ＳＤＭＡ）は、複数の端末を同時送信および受信のためにスケジューリングすることによってエアリンクの利用を向上するために使用されることができる。データは、空間のストリームを使用してそれぞれの端末に送られる。例えば、ＳＤＭＡを用いると、送信機は個々の受信機への直交ストリームを形成する。その送信機がいくつかの通信経路で構成された送信／受信チャネルおよびいくつかのアンテナを有するので、そのような直交ストリームが形成されることができる。受信機もひとつかそれ以上のアンテナ（ＭＩＭＯ，ＳＩＭＯ）を有することができる。この例に関して、その送信機はアクセスポイント（ＡＰ）であり、その受信機は局（ＳＴＡ）であると仮定される。そのストリームは、例えばＳＴＡ−Ｂに向けられたストリームはＳＴＡ−Ｃ、ＳＴＡ−Ｄなどで低いパワーの干渉だと見なされ、これは重大な干渉を引き起こさず、おそらく無視されるように形成される。これらの直交ストリームを形成するために、そのＡＰはそれぞれの受信するＳＴＡからのチャネル状態情報（ＣＳＩ）を有する必要がある。ＣＳＩはいくつかの方法で測定され、および通信されることができ、それによって複雑性を加えるけれども、そのＣＳＩの使用はＳＤＭＡストリームの構成を最大限に利用することができる。
【０００６】
追加の複雑性は、ＭＩＭＯがマルチユーザ（ＭＵ）システムに適用された時に生じる。例えば、ＡＰがアップリンク（ＵＬ）通信プロセスを制御することが通常である。しかしながら特定の構成で、アップリンクのスケジューリング手法は依然として、ＳＴＡがチャネルアクセスのためにＡＰと競う(contend)ことを要求する。つまりＡＰは、送信媒体へのアクセスを得ようと試み、それによってアクセスを得ようと試みている全てのＳＴＡに作用する、ひとつの追加のＳＴＡとしての働きをすることがある。さらには、ＳＴＡｓは後のＵＬ送信のスケジューリングに関してＡＰに頼っているので、そのスケジューリングのスキームは、バースト的な（bursty）データトラフィックのような特定の形態のデータトラフィックとではいつも上手く作動するわけではない。
【０００７】
したがって、ひとつかそれ以上の上記で説明された欠点に対処することが望ましいであろう。
【発明の概要】
【０００８】
以下はひとつかそれ以上の態様の簡略化された概略をそのような態様の基本的な理解を提供するために示す。この概略は全ての熟考された態様の広範な概観ではなく、および、全ての態様の鍵となるもしくは重大な要素を明らかにすることも、いずれかのもしくは全ての態様の範囲を描写することも意図されていない。その唯一の目的は、後に示されるより詳細な説明への前置きとして簡略化された形態でひとつかそれ以上の態様のいくつかの概念を示すことである。
【０００９】
様々な態様によると、主題となるイノベーション（ｉｎｎｏｖｅｔｉｏｎ）はワイアレス通信を提供する方法および装置に関連し、その場合ワイアレス通信用の方法は複数のワイアレスノード内のひとつのワイアレスノードからデータを送信するための要求を受信すること、およびデータ送信を可能にするために複数のワイアレスノード内の１組のワイアレスノードへマルチキャストメッセージを送信することを備える。
【００１０】
別の態様で、複数のワイアレスノード内のひとつのワイアレスノードからデータを送信するための要求を受信するように、およびデータ送信を可能にするために複数のワイアレスノード内の１組のワイアレスノードへマルチキャストメッセージを送信するように構成された処理システムを備えるワイアレス通信用の装置が提供される。
【００１１】
また別の態様で、複数のワイアレスノード内のひとつのワイアレスノードからデータを送信するための要求を受信するための手段、およびデータ送信を可能にするために複数のワイアレスノード内の１組のワイアレスノードへマルチキャストメッセージを送信するための手段を備えるワイアレス通信用の装置が提供される。
【００１２】
また別の態様で、複数のワイアレスノード内のひとつのワイアレスノードからデータを送信するための要求を受信すること、およびデータ送信を可能にするために複数のワイアレスノード内の１組のワイアレスノードへマルチキャストメッセージを送信することが実行可能な命令を有する機械読み取り可能媒体を備えるワイアレス通信用のコンピュータプログラム製品も提供される。
【００１３】
また別の態様で、ひとつかそれ以上のアンテナ、そのひとつかそれ以上のアンテナを通じて複数のワイアレスノード内のひとつのワイアレスノードからデータを送信するための要求を受信するように構成された受信機に配置された送信機、およびデータ通信を可能にするために複数のワイアレスノード内の他のワイアレスノードにマルチキャストメッセージを送信するように構成された送信機を備えるアクセスポイントが提供される。
【００１４】
また別の態様で、複数の他のワイアレスノードと媒体へのアクセスを競うこと、１組のワイアレスノードへのデータ送信を可能にするマルチキャストメッセージを受信すること、およびそのマルチキャストメッセージに基づいてデータを送信することを備えるワイアレス通信用の方法が提供される。
【００１５】
また別の態様で、複数の他のワイアレスノードと媒体へのアクセスを競うように、１組のワイアレスノードへのデータ送信を可能にするマルチキャストメッセージを受信するように、およびマルチキャストメッセージに基づいてデータを送信するように構成された処理システムを備えるワイアレス通信用の装置が提供される。
【００１６】
また別の態様で、複数のほかのワイアレスノードと媒体へのアクセスを競うための手段、１組のワイアレスノードへのデータ送信を可能にするマルチキャストメッセージを受信するための手段、およびそのマルチキャストメッセージに基づいてデータを送信するための手段を備えるワイアレス通信用の装置が提供される。
【００１７】
また他の態様で、複数のワイアレスノード内のひとつのワイアレスノードからデータを送信するための要求を受信すること、およびデータ送信を可能にするために複数のワイアレスノード内の１組のワイアレスノードにマルチキャストメッセージを送信することが実行可能な命令を有する機械読み取り可能媒体を備えるワイアレス通信用のコンピュータプログラム製品が提供される。
【００１８】
また別の態様で、アンテナ、そのアンテナを使用して複数の他のワイアレスノードと媒体へのアクセスを競うように構成された、アンテナに連結されたプロセッサ、１組のワイアレスノードへのデータ送信を可能にするマルチキャストメッセージを受信するように構成された受信機、およびマルチキャストメッセージに基づいてデータを送信するように構成された送信機を備える局が提供される。
【００１９】
前述のおよび関連した目的の達成のために、ひとつかそれ以上の態様は、以下で十分に説明され、そして特許請求の範囲で具体的に指摘される特徴を備える。以下の説明および添付された図は、詳細にひとつかそれ以上の態様の特定の実例となる態様を明記する。しかしながらこれらの態様は、様々な態様の本質が用いられ得る様々な方法の一部だけを示し、および説明された態様は全てのそのような態様やそれらの均等物を含むことが意図されている。
【図面の簡単な説明】
【００２０】
【図１】本開示の態様に従って構成されたワイアレス通信ネットワークを示す図。
【図２】図１のワイアレス通信ネットワーク内のワイアレスノードでのフロントエンド処理システムを備えるワイアレスノード。
【図３】従来のアクセスポイント（ＡＰ）始動によるＵＬ  ＳＤＭＡフレームシーケンスの動作を示すタイミング図。
【図４】本開示のひとつの態様に従って構成された局（ＳＴＡ）／クライアント始動によるＵＬ ＳＤＭＡスキームの動作を示すタイミング図。
【図５】本開示のひとつの態様に従って構成された図４のＳＴＡ／クライアント始動によるＵＬ ＳＤＭＡスキームの動作を示す流れ図。
【図６】本開示の別の態様に従って構成されるＳＴＡ／クライアント始動によるＵＬＳＤＭＡスキームの動作を示すタイミング図。
【図７】本開示のひとつの態様に従って構成される図６のＳＴＡ／クライアント始動によるＵＬ ＳＤＭＡスキームの動作を示す流れ図。
【図８】本開示のひとつの態様に従って構成されるＴＲＭフレームの図。
【図９】図８のＴＲＭフレーム内に含まれる情報に基づく空間ストリームの割り当てによって決定されるＳＤＭＡプリアンブルおよびコントロール情報を備えるサウンディングフレームの図。
【図１０】本開示のひとつの態様に従った複数のＳＴＡを有するクライアント始動によるＵＬスキームを実行するためのアクセスポイント装置の機能性を示すブロック図。
【図１１】本開示のひとつの態様に従った複数のＳＴＡ用のクライアント始動によるＵＬスキームを実行するためのＳＴＡ装置の機能性を示すブロック図。
【詳細な説明】
【００２１】
新たなシステム、装置および方法の様々な態様は添付図面を参照して以下でより十分に説明される。しかしながら、教示となる開示は多くの種々の形態で具現化され、本開示全体を通じて示されるいずれの特定の構成もしくは機能に制限されるように解釈されるべきでない。むしろこれらの態様は、本開示が徹底的で完全となるように、ならびに当業者にその開示の範囲を十分に伝えるように提供される。本明細書の教示に基づいて、本明細書で開示された新たなシステム、装置および方法のいずれの態様も、本開示の任意の他の態様と組み合わされようと独立して実行されようと、本開示の範囲がカバーするように意図されていると当業者は理解すべきである。例えば、本明細書に明記された任意の数の態様を使用して方法は実行されることができる、もしくは装置は実装されることができる。加えて本開示の範囲は、他の構造、機能性、もしくは本明細書で明記された開示の様々な態様の他のあるいはそれに加えた構造および機能を使用して実行されるそのような方法もしくは装置をカバーするように意図されている。本明細書で開示されたいずれの態様も請求項のひとつかそれ以上の要素によって具現化され得ることが理解されるであろう。
【００２２】
これからワイアレスネットワークのいくつかの態様が図１を参照して示される。本明細書でベーシックサービスセット（ＢＳＳ）１００としても表されるワイアレスネットワークは、アクセスポイント１１０および複数のアクセス端末あるいは局（ＳＴＡｓ）１２０として概して称されるいくつかのワイアレスノードと共に示される。それぞれのワイアレスノードは受信することおよび／あるいは送信することが可能である。以下の詳細な説明で、ダウンリンク通信用では「アクセスポイント」という用語は送信ノードを示すために使用され、「アクセス端末」という用語は受信ノードを示すために使用される。それに対してアップリンク通信用では「アクセスポイント」という用語は受信ノードを示すために使用され、「アクセス端末」は送信ノードを示すために使用される。しかしながら、他の専門用語もしくは学術用語がアクセスポイントおよび／もしくはアクセス端末用に使用され得ることを当業者は容易に理解するだろう。例として、アクセスポイントは基地局、ベーストランシーバ局、局、端末、ノード、ワイアレスノード、アクセスポイントとして作動するアクセス端末、もしくはいくつかの他の適当な専門用語で表されることができる。アクセス端末はユーザ端末、移動局、加入者局、局、ワイアレス装置、端末、ノード、ワイアレスノードもしくはいくつかの他の適当な専門用語で表されることができる。本開示全体を通じて説明される様々な概念は、それらに特有の学術用語に関わらず全ての適当なワイアレスノードに適用されることが意図されている。
【００２３】
ワイアレスネットワーク１００はアクセス端末１２０に通信可能範囲を提供するために地理的領域の至る所に分散された任意の数のアクセスポイントをサポートできる。システムコントローラ１３０はアクセスポイントのコントロールと調整を提供するために、ならびにアクセス端末１２０用に他のネットワーク（例えばインターネット）にアクセスするために使用されることができる。簡略化のため、ひとつのアクセスポイント１１０が示されている。アクセスポイントは概して、通信可能範囲の地理的領域にある端末にアクセスするためのバックホールサービスを提供する固定された端末である。しかしながら、アクセスポイントはいくつかのアプリケーションで移動可能であり得る。固定され得るもしくは移動可能であり得るアクセス端末はアクセスポイントのバックホールサービスを利用する、もしくは他のアクセス端末とのピアツーピアの通信に従事する。アクセス端末の例は電話機（例えば携帯電話）、ラップトップコンピュータ、デスクトップコンピュータ、パーソナルデジタルアシスタント（ＰＤＡ）、デジタルオーディオプレイヤ（例えばＭＰ３プレイヤ）、カメラ、コンピュータゲーム機、あるいは他の適当なワイアレスノードを含む。
【００２４】
ワイアレスネットワーク１００はＭＩＭＯ技術をサポートできる。ＭＩＭＯ技術の使用で、アクセスポイント１１０は空間分割多元接続（ＳＤＭＡ）を使用して複数のアクセス端末１２０と同時に通信することができる。ＳＤＭＡは、同時に種々の受信機に送信された複数のストリームが同じ周波数チャネルを共有し、その結果より高いユーザ容量を提供することを可能にさせる多元アクセススキームである。これはそれぞれのデータストリームを空間的にプリコーディングし、その後ダウンリンク上で種々の送信アンテナを通じてそれぞれの空間的にプリコーディングされたストリームを送信することによって達成される。空間的にプリコーディングされたデータストリームは種々の空間シグネチャと共にアクセス端末に到着し、それによってそれぞれのアクセス端末１２０がそのアクセス端末１２０に宛てられたデータストリームを復元することを可能にする。アップリンク上では、それぞれのアクセス端末１２０は、アクセスポイント１１０がそれぞれの空間的にプリコーディングされたデータストリームのソースを識別することを可能にする空間的にプリコーディングされたデータストリームを送信する。「プリコーディング」という用語が本明細書で使用されているけれども、一般的には「コーディング」という用語も、データストリームのプリコーディング、符号化、復号、および／あるいはポストコーディングのプロセスを包含するように使用され得ることに注目すべきである。
【００２５】
ひとつかそれ以上のアクセス端末１２０は、特定の機能性を可能にするために複数のアンテナが装備されることができる。この構成があれば、例えば追加の帯域幅もしくは送信パワーなしでデータスループットを向上するためにアクセスポイント１１０にある複数アンテナは複数アンテナのアクセスポイントと通信するように使用されることができる。これは、送信機にある高いデータレートの信号を種々の空間シグネチャを有する複数のより低いレートのデータストリームに分割し、それによって高いレートのデータ信号を復元するために受信機がこれらのストリームを複数チャネルに分けて適切にそのストリームを組み合わせることによって達成され得る。
【００２６】
以下の開示の部分はＭＩＭＯ技術もサポートするアクセス端末を説明する一方、アクセスポイント１１０はＭＩＭＯ技術をサポートしないアクセス端末をサポートするように構成されることもできる。この手法は、より新しいＭＩＭＯアクセス端末が必要に応じて導入されることを可能にする一方より古いバージョンのアクセス端末（例えば「レガシー」端末）が有益な寿命を延ばしてワイアレスネットワーク内で展開されたままでいることを可能にすることができる。
【００２７】
以下の詳細な説明で本開示の様々な態様は、直交周波数分割多重（ＯＦＤＭ）のような任意の適当なワイアレス技術をサポートするＭＩＭＯシステムを参照して説明される。ＯＦＤＭは正確な周波数で一定の間隔に離れて配置された複数のサブキャリアに渡ってデータを分配する、拡散スペクトル技術である。その間隔は受信機がサブキャリアからのデータを復元することを可能にする「直交性」を提供する。ＯＦＤＭシステムはＩＥＥＥ８０２．１１もしくはいくつかの他のエアインターフェース標準を実装することができる。他の適当なワイアレス技術は、例として、符号分割多元接続（ＣＤＭＡ）、時分割多元接続（ＴＤＭＡ）、もしくは任意の他の適当なワイアレス技術、あるいは適切なワイアレス技術の任意の組み合わせを備える。ＣＤＭＡシステムは、ＩＳ―２０００、ＩＳ―９５、ＩＳ―８５６、広帯域ＣＤＭＡ（ＷＣＤＭＡ（登録商標））、もしくはいくつかの他の適当なエアインターフェース標準を実装し得る。ＴＤＭＡは移動体通信のためのグローバルシステム（ＧＳＭ（登録商標））もしくはいくつかの他の適当なエアインターフェース標準を実装することができる。当業者が容易に正しく理解できるように、本開示の様々な態様はいずれの特定のワイアレス技術および／もしくはエアインターフェース標準にも制限されない。
【００２８】
図２はＰＨＹ層の信号処理機能の例を示した概念上のブロック図である。送信モードでＴＸデータプロセッサ２０２はＭＡＣ層からデータを受信し、受信ノードで前方誤り訂正（ＦＥＣ）を容易にするためにそのデータを符号化（例えばターボ（Ｔｕｒｂｏ）コード化）するように使用され得る。符号化のプロセスは結果として変調シンボルのシーケンスを生み出すために、ＴＸデータプロセッサ２０２によってまとまってブロック化され、信号コンステレーション（ｃｏｎｓｔｅｌｌａｔｉｏｎ）にマッピングされ得るコードシンボルのシーケンスになる。
【００２９】
ＯＦＤＭを実装するワイアレスノードで、ＴＸデータプロセッサ２０２からの変調シンボルはＯＦＤＭモジュレータ２０４に提供されることができる。ＯＦＤＭモジュレータ２０４は変調シンボルを並列のストリームに分割する。それぞれのストリームはその後ＯＦＤＭサブキャリアにマッピングされ、そして変調シンボルの空間処理を行うＴＸ空間プロセッサ２０４を作り出すための逆高速フーリエ変換（ＩＩＦＴ）を使用して組み合わされる。これはＯＦＤＭモジュレータ２０６に変調シンボルを提供する前にその変調シンボルを空間プリコーディングすることによって達成されることができる。
【００３０】
ＯＦＤＭモジュレータ２０６は変調シンボルを並列のストリームに分割する。それぞれのストリームはその後ＯＦＤＭサブキャリアにマッピングされ、そして時間領域のＯＦＤＭストリームを作り出すために逆高速フーリエ変換（ＩＦＦＴ）を使用してまとまって組み合わされる。その後、それぞれの空間的にプリコーディングされたＯＦＤＭストリームはそれぞれのトランシーバ２０８ａ−２０８ｎを通じて種々のアンテナ２１０ａ−２１０ｎに提供される。それぞれのトランシーバ２０８ａ−２０８ｎはワイアレスチャネル上の送信用のそれぞれのプリコーディングされたストリームでＲＦキャリアを変調する。
【００３１】
受信モードで、それぞれのトランシーバ２０８ａ−２０８ｎはそれぞれのアンテナ２１０ａ−２１０ｎを通じて信号を受信する。それぞれのトランシーバ２０８ａ−２０８ｎはＲＦキャリア上に変調された情報を復元し、ＯＦＤＭデモジュレータ２１０にその情報を提供するために使用されることができる。
【００３２】
ＲＸ空間プロセッサ２１０はワイアレスノード２００に宛てられたいずれの空間ストリームも復元するために情報に関して空間処理を行う。空間処理はチャネル相関行列反転（ＣＣＭＩ）、最小平均二乗誤差（ＭＭＳＥ）、ソフト干渉除去（ＳＩＣ）、もしくはいくつかの他の適当な技術に従って行われることができる。もし複数の空間ストリームがワイアレスノード２００に宛てられると、それらはＲＸ空間プロセッサ２１０．２０によって組み合わされることができる。
【００３３】
ＯＦＤＭを実装するワイアレスノードで、トランシーバ２０８ａ−２０８ｎからのストリーム（もしくは組み合わされたストリーム）はＯＦＤＭデモジュレータ２２０に提供される。ＯＦＤＭデモジュレータ２２０は高速フーリエ変換（ＦＦＴ）を使用して時間領域から周波数領域にストリーム（もしくは組み合わされたストリーム）を変換する。周波数領域信号はＯＦＤＭ信号のそれぞれのサブキャリアに関して別個のストリームを備える。そのＯＦＤＭデモジュレータ２２０は、ＲＸ空間プロセッサ２２２にストリームを送る前にそれぞれのサブキャリア上で運ばれたデータ（例えば変調シンボル）を復元し、変調シンボルのストリームにそのデータを多重化する。
【００３４】
ＲＸ空間プロセッサ２２２はワイアレスノード２００に宛てられた任意の空間ストリームを復元するために情報に関して空間処理を行う。空間処理はチャネル相関行列反転（ＣＣＭＩ）、最小平均二乗誤差（ＭＭＳＥ）、ソフト干渉除去（ＳＩＣ）、もしくはいくつかの他の適当な技術に従って行われることができる。もし複数の空間ストリームがワイアレスノード２００に宛てられると、それらはＲＸ空間プロセッサ２２２によって組み合わされることができる。
【００３５】
ＲＸデータプロセッサ２２４は単一のコンステレーション内の正確な点に変調シンボルを戻すために使用され得る。ワイアレスチャネルでの雑音や他の障害のため、変調シンボルは最初の信号コンステレーションの正確な点の場所に一致しないこともある。ＲＸデータプロセッサ２２４は単一のコンステレーション内の正当なシンボルの位置と受信された点との間の最短距離を見つけることによってどの変調シンボルが送信された可能性が最も高いかを検出する。例えばターボコードの場合、ある変調シンボルと関連したコードシンボルの対数ゆう度比（ＬＬＲ）を計算するためにこれらのソフト決定は使用されることができる。その後ＲＸデータプロセッサ２２４は、ＭＡＣ層にデータを提供する前に、最初に送信されたデータを復号するためにコードシンボルＬＬＲｓのシーケンスを使用する。
【００３６】
図３は、複数のＳＴＡｓ３１０−１から３１０−３を有するＡＰ３０２によるＡＰ始動のアップリンクＳＤＭＡ送信用の従来のシーケンスを示すタイミング図３００を例示しており、その場合、
１．ＡＰ３０２はＥＤＣＡを使用して媒体へのアクセスを得る。アクセスは、複数のＳＴＡｓ３１０−１から３１０−３からのＵＬトラフィックアクセスカテゴリー（ＡＣ）に依存する優先度に基づいて提供される。
【００３７】
２．ＡＰ３０２は、複数のＳＴＡｓ３１０−１から３１０−３のようなクライアントがＵＬの送信要求―多元アクセス（ｒｅｑｕｅｓｔ  ｔｏ  ｓｅｎｄ−Ｍｕｌｔｉｐｌｅ  Ａｃｃｅｓｓ）（ＲＴＳ−ＭＡ）メッセージを送るように要求する、ＳＤＭＡ要求（ｒｅｑｕｅｓｔ  ＳＤＭＡ）（ＲＳＤＭＡ）メッセージ３０４を送信する。ＵＬ ＲＴＳ−ＭＡメッセージは前もって割り当てられたタイムスロットおよび空間ストリーム（ＳＳ）を使用して送信され、その場合その割り当てはＡＰ３０２によって実行される。
【００３８】
３．複数のＳＴＡｓ３１０−１から３１０−３はそれぞれのＲＴＳ−ＭＡメッセージ３１２−１から３１２−３を用いて応じる。それぞれのＲＴＳ−ＭＡメッセージはＵＬトラフィックＡＣ、ＥＤＣＡバックオフカウンタ値およびパケットサイズを含む。
【００３９】
４．ＡＰ３０２は任意で、ＲＴＳ−ＭＡメッセージ３１２−１から３１２−３の肯定応答を行い、そしてＵＬ ＳＤＭＡ変調および符号化スキーム（ＭＣＳ）の計算の目的用のサウンディングを要求する、ＲＴＳ−ＭＡ−ＡＣＫ（ＲＭＡ）メッセージを送信する。
【００４０】
５．ＡＰ３０２はその後、選択されたクライアント用のＵＬ ＳＤＭＡのために要求された任意のパワーオフセット値およびＭＣＳ、ＳＳと共にＲＴＳ−ＭＡ承認（ＲＴＳ−ＭＡ  Ｃｏｎｆｉｒｍａｔｉｏｎ）（ＲＭＣ）３０８を送る。これらのクライアントはそれらのＥＤＣＡ優先度（バックオフカウンタ値およびＡＣ）を保つように選択される。ＲＭＣメッセージ３０８は、ＴｘＯＰ持続時間と称される、送信動作を行うために必要とされる時間の間、媒体のリザーブもする。ＴｘＯＰ持続時間は、選択されたクライアントによって要求された最長のパケットサイズに基づくことができる。
【００４１】
６．クライアントはその後、ＡＰ３０２によって示されたパワーオフセット値およびＭＣＳ、ＳＳを使用して、ＳＤＭＡデータ送信３１６−１から３１６−３として例示されているようにＵＬ ＳＤＭＡパケットを送信する。
【００４２】
７．一度ＡＰ３０２が首尾よくＵＬ ＳＤＭＡパケットを受信してしまうと、ＡＰ３０２はクライアントからの送信に肯定応答するためにブロックＡＣＫ（ＢＡ）メッセージ３２０を用いて応じる。
【００４３】
８．ＵＬ ＳＤＭＡパケットの成功した送信の後、クライアントはＥＤＣＡアクセス用のバックオフカウンタを再び初期化することができる。クライアントは後のＵＬ送信のためにはＵＬトラフィック用のＥＤＣＡアクセスを使用せず、スケジューリングされたＲＳＤＭＡもしくはＲＴＳ−ＭＡ承認メッセージに頼ることを望むことができる。
【００４４】
上記で説明されたＡＰ始動によるＵＬ−ＳＤＭＡスキームは以下のシナリオの下、問題に直面し得る：
１．もしクライアントがＵＬ−ＳＤＭＡ送信の後、ＥＤＣＡアクセス用のバックオフカウンタを再び初期化すると、たとえＡＰが送信すべきトラフィックを有していないとしてもＵＬトラフィックを送信する必要のある他のクライアントの代わりにＡＰは引き続き媒体を競う場合がある。これは結果としてＡＰもこれらのクライアントと媒体アクセスを競うことになる。つまり、ＡＰが「仮想ＳＴＡ」として作動し得る。オーバーラッピングベーシックサービスセット（ＯＢＳＳ）によって、これらの「仮想ＳＴＡ」の数はネットワーク内で増加し、増加した衝突の数に繋がるだろう。
【００４５】
２．もしクライアントが後のＵＬ送信のスケジューリングのためにＡＰからのスケジューリングされたＲＳＤＭＡあるいはＲＭＣメッセージに完全に頼っていたとしたら、
ａ．ビデオもしくはボイスオーバーインターネットプロトコル（ＶｏＩＰ）トラフィックのような一定レートのトラフィック用にはスケジューリングされたアクセスは十分に作動するが、しかしバースト的データトラフィックには十分に及ばない、
ｂ．いくつかのＡＰを有するＯＢＳＳがある場合、クライアントによるＡＰのスケジューリングメッセージへの依存は、スケジューリングされたＲＳＤＭＡの増加した衝突に繋がるだろう。たとえそうだとしても、これはランダムなバックオフを使用していくらかの程度は軽減され得る。
【００４６】
ｃ．ＡＰはＵＬ ＳＤＭＡ送信のスケジューリングに唯一責任があるので、ＡＰがより責任を負うならば、ＡＰの設計はより複雑である必要があるであろう。
【００４７】
ＡＰ４０２と複数のＳＴＡ−１ ４１０−１からＳＴＡ−３ ４１０−３との間の提案されたクライアントのＳＤＭＡアップリンクリザベーションプロトコルは図４で例示されるようなタイミング図４００を参照して、さらには図５によって例示されるようなクライアントＵＬ ＳＤＭＡプロセス５００を参照して説明される。
【００４８】
ステップ５０２で、ＳＴＡ−１ ４１０−１はＥＤＣＡを使用して媒体へのアクセスを得て、ＡＰ４０２にＲＴＳメッセージ７１２を送信する。
【００４９】
ステップ５０４で、本開示のひとつの態様では、ＡＰ４０２はＳＴＡ−１ ４１０−１用のＣＴＳメッセージの役目を務めるＲＭＡメッセージ４０６を用いて回答し、ＳＴＡ−１ ４１０−１用の媒体をリザーブする。トレーニング要求メッセージ（ＴＲＭ）も選択されたＳＴＡｓに送信され、ならびに選択されたＳＴＡｓ用のＳＳはＵＬ−ＳＤＭＡを使用してサウンディング情報を送信するために割り当てられる。
【００５０】
ステップ５０６で、本開示のひとつの態様では、ＳＴＡ−１ ４１０−１はＡＰ４０２からのＲＭＡメッセージ４０６に応じてサウンディングパケット４１４−１を送信することになる。その場合、ヌルデータパケット（ｎｕｌｌ  ｄａｔａ  ｐａｃｋｅｅｔ）（ＮＤＰ）は以下でさらに説明されるようにサウンディングフレームもしくはパケットとしてのために使用される。サウンディングパケットの使用はＡＰがそれぞれのＵＬ−ＳＤＭＡＳＴＡ用のＭＣＳを計算することを可能にする。ＳＴＡ−１ ４１０−２およびＳＴＡ−１ ４１０−３である、選択されたＳＴＡｓもＳＴＡ−１ ４１０−１に加えてサウンディング情報を送信することになる。
【００５１】
ステップ５０８で、ＡＰ４０２はＣＴＳの役目を務めるＲＭＣメッセージ４０８を用いてＳＴＡ−１ ４１０−１に回答し、ＳＴＡ−１ ４１０−１によって指定されたＴｘＯＰの間、媒体をリザーブする。ＡＰ４０２は、ＴｘＯＰ内で選択されたＳＴＡｓ４１０−２および４２０−３がＵＬ−ＳＤＭＡトラフィックを送信するためにＳＳ、ＭＣＳおよびパワーオフセット値を割り当てもし、その割り当ては任意である。例えば、ＳＴＡ−２ ４１０−２およびＳＴＡ−３ ４１０−３は、もしあれば、ＳＴＡ−１ ４１０−１に加えてＡＰ４０２にデータを送信することができる。本開示のひとつの態様で、ＡＰ４０２は送信動作の要求された持続時間である、ＴｘＯＰ要求持続時間（ＴｘＯＰ  Ｄｕｒａｔｉｏｎ  Ｒｅｑｕｅｓｔｅｄ）に基づいて、ＵＬ−ＳＤＭＡ用に適切なＳＴＡｓを選ぶことができる。本開示の別の態様で、ＡＰ４０２はＡＰ４０２に送られた以前のＱｏＳデータフレーム内にあるキューサイズサブフィールドに基づいて適切なＳＴＡｓを選択することができ、それは特定のＳＴＡに残っているキューのサイズを示している。
【００５２】
ステップ５１０で、本開示のひとつの態様では、ＳＴＡ−１ ４１０−１はＡＰ４０２からのＲＭＣメッセージ４０８に応じてＵＬ ＳＤＭＡデータ４１６−１を送信することになる。加えて、選択されたＳＴＡｓであるＳＴＡ−２ ４１０−２およびＳＴＡ−３ ４１０−３はそれらのパケットの長さがＴｘＯＰ内に合う場合、ＵＬ ＳＤＭＡを送信することによってＲＭＣメッセージ４０８に応じることもできる。もしそうでない場合、選択されたＳＴＡｓの一部はこのＴｘＯＰ内でＵＬ ＳＤＭＡトラフィックを送信することを控えるように選択することができる。パケットが大きすぎてＴｘＯＰの間に完全に送信できないためにＴｘＯＰの間にＵＬ ＳＤＭＡを送信しないことを選ぶＳＴＡｓはパケットの細分化やオンザフライで再エンクリプト（ｒｅ−ｅｎｃｒｙｐｔ）しなければならないことを避けるだろう。
【００５３】
ステップ５１２で、選択されたＳＴＡｓによって送信されたデータをＡＰ４０２が受信したことをそのＡＰ４０２が一度検証することができると、ＡＰ４０２はＢＡメッセージ４２０を用いて回答する。本開示のひとつの態様でＢＡメッセージ４２０はＤＬ ＳＤＭＡもしくはＡＰＰＤＵを使用して送信されることができる。
【００５４】
図６はサウンディング動作を含まない簡略化されたＵＬ−ＳＤＭＡスキーム６００を、図７で例示されたような簡略化されたＵＬ−ＳＤＭＡプロセス７００と共に例示する。本開示のひとつの態様では、ステップ７０２でＳＴＡ−１ ６１０−１はＲＴＳメッセージ６１２をＡＰ６０２に送信する。
【００５５】
ステップ７０４で、ＡＰ６０２はＲＭＣメッセージ６０４を送信することになり、そこではＳＴＡ−１ ６１０−１に加えてＳＴＡ−２ ６１０−２およびＳＴＡ−３ ６１０−３を含むＳＴＡｓの選択された１組はＵＬ ＳＤＭＡデータをＡＰ６０２に送信できるように選択される。
【００５６】
ステップ７０６でＳＴＡ−１ ６１０−１はＡＰ６０２にＵＬ ＳＤＭＡデータ６１６−１を送信する。加えて、ＳＴＡｓの選択された１組内のＳＴＡｓであるＳＴＡ−２ ６１０−２およびＳＴＡ−３ ６１０−３はＵＬ ＳＤＭＡデータ６１６−２および６１６−３をＡＰ６０２にそれぞれ送信する。
【００５７】
ステップ７０４で、ＡＰ６０２がＳＴＡ−１ ６１０−１ならびにＳＴＡｓの選択された１組であるＳＴＡ−２ ６１０−２およびＳＴＡ−３ ６１０−３からのＵＬ ＳＤＭＡ送信を一度受信してしまうと、ＢＡメッセージ６２０はＡＰ６０２によって送信される。
【００５８】
上記で論じられたように、例えばある特定のＳＴＡを対象にされたストリームは他のＳＴＡｓで低いパワーの干渉であると見られるように空間ストリームは形成されるので、正確なチャネル状態情報を得ることはＳＤＭＡプロトコルの貴重な部分である。これらの非干渉ストリームを形成するために、送信ノードはそれぞれの受信ＳＴＡｓからのＣＳＩを有する必要がある。ひとつの態様で送信ノードは、ＣＳＩが推定される必要があることを指示する要求メッセージを送信する。その要求メッセージは潜在的なＳＤＭＡ送信の受取人である１組のＳＴＡｓに送られる。そのメッセージはトレーニング要求メッセージ（ＴＲＭ）として称される。本明細書に含まれる開示で、ＳＤＭＡ送信機でＣＳＩを得るための２つの例、暗黙のＣＳＩ交換および明示的なＣＳＩ交換が提供される。
【００５９】
ＴＲＭのフォーマットの例は図８のＴＲＭ８００によって示される。ＴＲＭ８００のデータ部分はＳＴＡ情報フィールド８１８を含み、ＳＴＡ情報フィールド８１８は以下の情報を含む。
【００６０】
（１）ＳＴＡ−ＩＤフィールド８５２：これはＣＳＩが推定されるべきＳＴＡｓ１２０をリストする、
（２）＃ＳＳフィールド８５４：それぞれのＳＴＡ１２０のための空間ストリームの数、
（３）レンジング情報フィールド８５６：これは正確なジョイントチャネルの推定を確実にするためにサウンディングシンボルが、時間が整列させられてＡＰ１１０に到達することを確実にする。
【００６１】
ＴＲＭ８００は、ＡＰ１１０でＳＴＡのサウンディングフレームが受信されるべきＲｘパワーであるターゲットＲｘパワーフィールド８１２をも含む。加えて、ＴＲＭ８００は統合されたダウンリンク較正処理手続に使用される較正ビット８１４も備える。ＡＰ１１０がチャネルの推定に適用されるべき補正ファクタを更新することを可能にするために較正は比較的長い間隔で発動される。
【００６２】
本開示のひとつの態様で、ＳＴＡｓ１２０は経路損失を推定し、アップリンクサウンディングフレームの送信パワーを設定するためにＴＲＭの送信パワーを使用するので、ＴＲＭ８００のようなそれぞれのＴＲＭは一定の送信パワーで送信される。ＴＲＭ８００は、宛先アドレスがＤＡ（同報通信）フィールド８０６の同報通信アドレスに設定されたレガシーＭＡＣヘッダーを備える。その宛先アドレスは予め決められたマルチキャストアドレスに設定されることもあり得る。それぞれのＴＲＭの送信はバックオフの処理手続を使用して実行され、ならびにひとつの態様では送信はコンテンションに基づくアクセス用にＩＥＥＥ８０２．１１ ＭＡＣプロトコルで定められた処理手続を使用して実行されることもできる。
【００６３】
ＭＡＣヘッダー内の持続時間／ＩＤフィールド８０４は、全てのＳＤＭＡ送信およびブロックＡＣＫ受信が間隔において（ｉｎ  ｔｈｅ  ｄｉｓｔａｎｃｅ）占められる（ａｃｃｏｕｎｔｅｄ  ｆｏｒ）ように定められる。本開示のひとつの態様で、ＴＲＭ８００のようなそれぞれのＴＲＭは最低のレガシー８０２．１１ａ／ｇのレートで送信されるので、ワイアレスネットワーク１００内の全てのＳＴＡｓ１２０はそれらのＮＡＶを適切に設定することができる。
【００６４】
一度ＴＲＭ８００で列挙されたそれぞれのＳＴＡｓがＴＲＭ８００を受信すると、それらはＣＳＩを用いて応じる。本開示の様々な態様で、ＴＲＭがＳＤＭＡ送信機によって送られた後、ＣＳＩの推定を提供するために複数の手法が使用され得る。
【００６５】
図９はＳＤＭＡのプリアンブル部分９０２およびコントロール情報部分９０４−９２６を含むサウンディングフレーム９００を例示する。本開示のひとつの態様で、ＳＤＭＡのプリアンブル部分９０２の長さはＴＲＭ８００で特定された空間ストリームの割り当てによって決定される。コントロール情報部分９０４−９２６は以下の情報を提供する：
（１）チャネルクオリティインディケータ（ＣＱＩ）フィールド９０４：ＣＱＩフィールド９０４は受信されたＴＲＭに関する全てのＲｘアンテナおよびトーンに渡って平均化されたアンテナ毎の受信ＳＮＲを含む。その情報はプリコーディングマトリックスを構成することを、もしそのマトリックス構成の設計がＭＭＳＥの基準に基づいていたとしたら、ＳＤＭＡ送信機に可能にさせる。ＣＱＩフィールド９０４に含まれる情報はまた、ＳＤＭＡ送信機が検出後の信号対干渉／雑音比（ＳＩＮＲ）を推定し、ならびにそれぞれの応答しているＳＴＡｓに対し適当な送信レートを割り当てることも可能にする。本開示のひとつの態様で、送信のない（ｑｕｉｅｔ）期間に受信機を囲む周囲の雑音のレベルを測定することによってＣＱＩが測定されることができる、
（２）アップリンクトラフィックバックログフィールド９０６：アップリンクトラフィックバックログフィールド９０６に含まれる情報はＳＤＭＡ送信機がアップリンクトラフィックの期間をスケジューリングすることおよび／あるいは逆方向認可（ｒｅｖｅｒｓｅ
ｄｉｒｅｃｔｉｏｎ  ｇｒａｎｔｓ）（ＲＤＧ）を割り当てることを可能にする。アップリンクトラフィックバックログフィールド９０６に含まれる情報はスケジューラが緊密なスケジュールを作成することを容易にし、従ってＭＡＣプロトコルのパフォーマンスを最適化する。ひとつの態様で、アップリンクトラフィックバックログはクラス毎の基準で示され、ならびにＶＯ（ボイス）、ＶＩ（ビデオ）、ＢＥ（ベストエフォート）およびＢＫ（バックグラウンド）フィールド６１２−６１８は4つの例の優先クラスを示している、 
（３）パワーコントロールフィールド９２０：パワーコントロールフィールド９２０に含まれた送信パワー情報は本明細書で説明されているようにＳＴＡによって書き込まれる。
【００６６】
エラー訂正のためＣＲＣフィールド９２４、ならびにテイルフィールド９２６も含まれている。
【００６７】
図１０は、本開示のひとつの態様に従ったアクセスポイント装置１０００の機能性を例示する図である。装置１０００は複数のワイアレスノード内のひとつのワイアレスノードからデータを送信するための要求を受信するためのモジュール１００２、およびデータ送信を可能にするために複数のワイアレスノード内の他のワイアレスノードへのマルチキャストメッセージを送信するためのモジュール１００４を備える。
【００６８】
図１１は本開示のひとつの態様に従ったＳＴＡ装置１１００の機能性を例示する図である。装置１１００は、複数の他のワイアレスノードと媒体へのアクセスを競うためのモジュール１１０２、１組のワイアレスノードへのデータ送信を可能にするマルチキャストメッセージを受信するためのモジュール１１０４、およびマルチキャストメッセージに基づいてデータを送信するためのモジュール１１０６を備える。
【００６９】
本明細書で開示された態様に関連して説明された様々な実例となるロジカルブロック、モジュール、プロセッサ、手段、回路、およびアルゴリズムステップのいずれも、電子ハードウェア（例えばソースコーディングやいくつかの他の技術を使用して設計され得るデジタル実装        、アナログ実装、あるいはその二つの組み合わせ）、命令を含む設計コードあるいはプログラムの様々な形態（これらは本明細書で便宜上、「ソフトウェア」あるいは「ソフトウェアモジュール」として称され得る）、もしくはこれら二つの組み合わせとして実行され得ることを当業者は理解するだろう。ハードウェアとソフトウェアのこの交換可能性を明確に例示するために、様々な実例となる構成要素、ブロック、モジュール、回路、およびステップがそれらの機能性の点で上記で一般的に説明されてきた。そのような機能性が実行されるのがハードウェアとしてかソフトウェアとしてかは全てのシステムに課された設計制約および特定のアプリケーションによる。当業者はそれぞれの特定のアプリケーション用の様々な方法で説明された機能を実行することができる。しかしそのような実行の決定は、本開示の範囲からの逸脱をもたらすこととして解釈されるべきではない。
【００７０】
例として、通信システムのいくつかの態様は、様々な装置および方法を参照して示されてきた。これらの装置および方法は本明細書で説明され、様々なブロック、モジュール、構成要素、回路、ステップ、プロセス、アルゴリズムなど（集合的に「要素」として称される）によって添付図面において例示されてきた。これらの要素は電子ハードウェア、コンピュータソフトウェア、もしくはそれらの任意の組み合わせを使用して実装されることができる。そのような要素が実装されるのがハードウェアとしてかソフトウェアとしてかは全てのシステムに課された設計制約および特定のアプリケーションによる。
【００７１】
さらに例として、要素、もしくは要素の任意の部分、あるいは要素の任意の組み合わせはひとつかそれ以上のプロセッサを含む「処理システム」を用いて実装され得る。プロセッサの例はマイクロプロセッサ、マイクロコントローラ、デジタル信号プロセッサ（ＤＳＰｓ）、フィールドプログラマブルゲートアレイ（ＦＰＧＡｓ）、プログラム可能な論理デバイス（ＰＬＤｓ）、ステートマシン、ゲート論理、別個のハードウェア回路、および本開示全体を通じて説明された様々な機能性を実行するように構成された他の適当なハードウェアを含む。処理システム内のひとつかそれ以上のプロセッサはソフトウェアを実行することができる。ソフトウェアは、それがソフトウェア、ファームウェア、ミドルウェア、マイクロコード、ハードウェア記述言語、あるいは別の方法で称されていても、命令、命令の１組、コード、コードの一区切、プログラムコード、プログラム、サブプログラム、ソフトウェアモジュール、アプリケーション、ソフトウェアアプリケーション、ソフトウェアパッケージ、ルーチン、サブルーチン、オブジェクト、プログラムとして実行可能なファイル、実行のスレッド、処理手続、機能などを意味するように広く解釈される。ソフトウェアはコンピュータ読み取り可能媒体に備わることができる。コンピュータ読み取り可能媒体は、例として、磁気記憶装置（例えばハードディスク、フロッピー（登録商標）ディスク、磁気ストリップ）、光学ディスク（例えばコンパクトディスク（ＣＤ）、デジタルバーサタイルディスク（ＤＶＤ））、スマートカード、フラッシュメモリ装置（例えばカード、スティック、キードライブ）、ランダムアクセスメモリ（ＲＡＭ）、読み出し専用メモリ（ＲＯＭ）プログラム可能ロム（ｐｒｏｇｒａｍｍａｂｌｅ  ＲＯＭ）（ＰＲＯＭ）、消去可能ＰＲＯＭ（ｅｒａｓａｂｌｅ  ＰＲＯＭ）（ＥＰＲＯＭ）、電子的消去可能ＰＲＯＭ（ｅｌｅｃｔｒｉｃａｌｌｙ  ｅｒａｓａｂｌｅ  ＰＲＯＭ）(ＥＥＰＲＯＭ)、レジスター（ｒｅｇｉｓｔｅｒ）、リムーバブルディスク（ｒｅｍｏｖａｂｌｅ  ｄｉｓｋ）、搬送波、送信ライン（ｔｒａｎｓｍｉｓｓｉｏｎ  ｌｉｎｅ）、もしくは保存あるいは送信ソフトウェア用の任意の他の適当な媒体を備えることができる。コンピュータ読み取り可能媒体は処理システムに内在する、処理システム外にある、あるいは処理システムを含む複数のエンティティに渡って分散されることができる。コンピュータ読み取り可能媒体はコンピュータプログラム製品内で具現化されることができる。例として、コンピュータプログラム製品はパッケージマテリアル内のコンピュータ読み取り可能媒体を含むことができる。全てのシステムに置かれた全ての設計制約および特定のアプリケーションに応じて、本開示全体を通じて示された、説明された機能性を実行する最良の方法を当業者は理解することができる。
【００７２】
処理システム、もしくは処理システムの任意の部分は本明細書で列挙された機能を実行するための手段を提供することができる。例として、コードを実行するひとつかそれ以上の処理システムは、複数のワイアレスノード内のひとつのワイアレスノードからデータを送信するための要求を受信するための、およびデータ送信を可能にするために複数のワイアレスノード内の１組のワイアレスノードにマルチキャストメッセージを送信するための手段を提供することができる。また代わりに、コンピュータ読み取り可能媒体上のコードは本明細書で列挙された機能を実行するための手段を提供することができる。
【００７３】
前記の説明は、どの当業者も十分に本開示の全ての範囲を理解することを可能にするために提供される。本明細書で開示された様々な構成への修正は当業者には容易に明らかであるだろう。従って、特許請求の範囲は本明細書で説明された本開示の様々な態様に制限されるように意図されていないが、特許請求の範囲の用語に矛盾しない全ての範囲が与えられるべきである。そこでは単数形の要素への参照は「ひとつおよびただひとつ」を、特別にそのように言及されていない限り意味するように意図されておらず、むしろ「ひとつもしくはそれ以上」を意味するように意図されている。特別に別の方法で言及されない限り、用語「いくらか」はひとつかそれ以上を指す。要素の組み合わせの少なくともひとつ（例えば「少なくともＡ，ＢもしくはＣのひとつ」）を記載する請求項は記載された要素のひとつかそれ以上（例えば「Ａ、もしくはＢ，もしくはＣ、もしくはそれらの任意の組み合わせ」）を指す。当業者には既知の、あるいは後に知ることになる本開示全体を通じて説明される様々な態様の要素の構造的および機能的均等物のすべては参照によって本明細書で明白に組み込まれ、ならびに請求項によって包含されることが意図されている。さらには、本明細書で開示されたものは何も、そのような開示が請求項で明示的に記載されているかどうかに関わらず、公共に捧げられるように意図されていない。請求項の要素はどれも、その要素が「のための手段」というフレーズを使用して明白に記載されない限り、あるいは方法の請求項の場合その要素が「のためのステップ」というフレーズを使用して記載されない限り、米国特許法１１２条、第６段落の規定の下、解釈されるべきではない。
【図１】
2014239475.tif 000003
【図２】
2014239475.tif 000004
【図３】
2014239475.tif 000005
【図４】
2014239475.tif 000006
【図５】
2014239475.tif 000007
【図６】
2014239475.tif 000008
【図７】
2014239475.tif 000009
【図８】
2014239475.tif 000010
【図９】
2014239475.tif 000011
【図１０】
2014239475.tif 000012
【図１１】
2014239475.tif 000013
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
複数のワイアレスノード内の第１のワイアレスノードから、送信機会中にデータを送信するための要求を、媒体へのアクセスコンテンションプロセスの一部として受信することと、
データ送信を可能にするために前記複数のワイアレスノード内の１組のワイアレスノードにマルチキャストメッセージを送信することと、
前記１組のワイアレスノードからデータを受信することと、
バックオフの処理手続きを使用してトレーニング要求メッセージを送信することと
を備え、前記マルチキャストメッセージは、前記第１のワイアレスノードによる前記送信機会中の送信を可能にするための承認と、２つかそれ以上の他のワイアレスノードが前記送信機会中にデータを送信するためのパラメータの指示とを備える、ワイアレス通信用の方法。
【請求項２】
前記媒体へのアクセスコンテンションプロセスがＥＤＣＡに基づくアクセスコンテンションを備える請求項１に記載の方法。
【請求項３】
前記マルチキャストメッセージがデータ送信を可能にするために前記１組のワイアレスノード内の少なくともひとつのワイアレスノード用の承認を備える請求項１に記載の方法。
【請求項４】
前記承認は、前記１組のワイアレスノード内の前記少なくともひとつのワイアレスノードが送信動作を実行するための媒体のリザベーションを備える請求項３に記載の方法。
【請求項５】
前記承認は、前記１組のワイアレスノード内の前記少なくともひとつのワイアレスノードが送信動作を実行する最長の持続時間を備える請求項３に記載の方法。
【請求項６】
利用可能な通信リソースもしくはＱｏＳ要件の少なくともひとつに基づいて前記１組のワイアレスノード内の前記ワイアレスノードを選択することをさらに備える請求項１に記載の方法。
【請求項７】
前記１組のワイアレスノードにチャネルトレーニング情報の要求を送信することをさらに備え、前記１組が前記第１のワイアレスノードを備える請求項１に記載の方法。
【請求項８】
前記チャネルトレーニング情報を受信することをさらに備える請求項７に記載の方法。
【請求項９】
前記マルチキャストメッセージが空間ストリーム値、ＭＣＳ値もしくはパワーオフセット値の少なくともひとつを備える請求項１に記載の方法。
【請求項１０】
前記１組のワイアレスノード内の前記ワイアレスノードの少なくともひとつおよび前記第１のワイアレスノードからデータ送信を受信することをさらに備える請求項１に記載の方法。
【請求項１１】
前記１組のワイアレスノード内の前記ワイアレスノードの前記少なくともひとつおよび前記第１のワイアレスノードにブロック肯定応答メッセージを送信することをさらに備える請求項１０に記載の方法。
【請求項１２】
前記受信されたデータ送信が同時に送信されていた請求項１０に記載の方法。
【請求項１３】
複数のワイアレスノード内の第１のワイアレスノードから、送信機会中にデータを送信するための要求を、媒体へのアクセスコンテンションプロセスの一部として受信するように、
データ送信を可能にするために前記複数のワイアレスノード内の１組のワイアレスノードにマルチキャストメッセージを送信するように、
前記１組のワイアレスノードからデータを受信するように、
バックオフの処理手続きを使用してトレーニング要求メッセージを送信するように
構成され、前記マルチキャストメッセージは、前記第１のワイアレスノードによる前記送信機会中の送信を可能にするための承認と、２つかそれ以上の他のワイアレスノードが前記送信機会中にデータを送信するためのパラメータの指示とを備える、処理システムを備えるワイアレス通信用の装置。
【請求項１４】
前記媒体へのアクセスコンテンションプロセスがＥＤＣＡに基づくアクセスコンテンションを備える請求項１３に記載の装置。
【請求項１５】
前記マルチキャストメッセージがデータ送信を可能にするために前記１組のワイアレスノード内の少なくともひとつのワイアレスノード用の承認を備える請求項１３に記載の装置。
【請求項１６】
前記承認は、前記１組のワイアレスノード内の前記少なくともひとつのワイアレスノードが送信動作を実行するための媒体のリザベーションを備える請求項１５に記載の装置。
【請求項１７】
前記承認は、前記１組のワイアレスノード内の前記少なくともひとつのワイアレスノードが送信動作を実行できる最長の持続時間を備える請求項１５の装置。
【請求項１８】
前記処理システムが利用可能な通信リソースもしくはＱｏＳ要件の少なくともひとつに基づいて前記１組のワイアレスノード内の前記ワイアレスノードを選択するようにさらに構成される請求項１３に記載の装置。
【請求項１９】
前記処理システムが前記１組のワイアレスノードにチャネルトレーニング情報の要求を送信するようにさらに構成され、前記１組が前記第１のワイアレスノードを備える請求項１３に記載の装置。
【請求項２０】
前記処理システムが前記チャネルトレーニング情報を受信するようにさらに構成される請求項１９に記載の装置。
【請求項２１】
前記マルチキャストメッセージが空間ストリーム値、ＭＣＳ値もしくはパワーオフセット値の少なくともひとつを備える請求項１３に記載の装置。
【請求項２２】
前記処理システムが前記１組のワイアレスノード内の前記ワイアレスノードの少なくともひとつおよび前記第１のワイアレスノードからデータ送信を受信するようにさらに構成される請求項１３に記載の装置。
【請求項２３】
前記処理システムが前記１組のワイアレスノード内の前記ワイアレスノードの前記少なくともひとつおよび前記第１のワイアレスノードにブロック肯定応答メッセージを送信するようにさらに構成される請求項２２に記載の装置。
【請求項２４】
前記受信されたデータ送信が同時に送信されていた請求項２２に記載の装置。
【請求項２５】
複数のワイアレスノード内の第１のワイアレスノードから、送信機会中にデータを送信するための要求を、媒体へのアクセスコンテンションプロセスの一部として受信するための手段と、
データ送信を可能にするために前記複数のワイアレスノード内の１組のワイアレスノードにマルチキャストメッセージを送信するための手段と、
前記１組のワイアレスノードからデータを受信するための手段と、
バックオフの処理手続きを使用してトレーニング要求メッセージを送信するための手段と
を備え、前記マルチキャストメッセージは、前記第１のワイアレスノードによる前記送信機会中の送信を可能にするための承認と、２つかそれ以上の他のワイアレスノードが前記送信機会中にデータを送信するためのパラメータの指示とを備える、ワイアレス通信用の装置。
【請求項２６】
前記媒体へのアクセスコンテンションプロセスはＥＤＣＡに基づくアクセスコンテンションを備える請求項２５に記載の装置。
【請求項２７】
前記マルチキャストメッセージがデータ送信を可能にするために前記１組のワイアレスノード内の少なくともひとつのワイアレスノード用の承認を備える請求項２５に記載の装置。
【請求項２８】
前記承認は、前記１組のワイアレスノード内の前記少なくともひとつのワイアレスノードが送信動作を実行するための媒体のリザベーションを備える請求項２７に記載の装置。
【請求項２９】
前記承認は、前記１組の１組のワイアレスノード内の前記少なくともひとつのワイアレスノードが送信動作を実行する最長の持続時間を備える請求項２７に記載の装置。
【請求項３０】
利用可能な通信リソースもしくはＱｏＳ要件の少なくともひとつに基づいて前記１組のワイアレスノード内の前記ワイアレスノードを選択するための手段をさらに備える請求項２５に記載の装置。
【請求項３１】
前記１組のワイアレスノードにチャネルトレーニング情報の要求を送信するための手段をさらに備え、前記１組が前記第１のワイアレスノードを備える請求項２５に記載の装置。
【請求項３２】
前記チャネルトレーニング情報を受信するための手段をさらに備える請求項３１に記載の装置。
【請求項３３】
前記マルチキャストメッセージが空間ストリーム値、ＭＣＳ値もしくはパワーオフセット値の少なくともひとつを備える請求項２５に記載の装置。
【請求項３４】
前記１組のワイアレスノード内の少なくともひとつのワイアレスノードおよび前記第１のワイアレスノードからのデータ送信を受信するための手段をさらに備える請求項２５に記載の装置。
【請求項３５】
前記１組のワイアレスノード内の前記少なくともひとつのワイアレスノードおよび前記第１のワイアレスノードにブロック肯定応答メッセージを送信するための手段をさらに備える請求項３４に記載の装置。
【請求項３６】
前記受信されたデータ送信が同時に送信されていた請求項３４に記載の装置。
【請求項３７】
複数のワイアレスノード内の第１のワイアレスノードから、送信機会中にデータを送信するための要求を、媒体へのアクセスコンテンションプロセスの一部として受信する手順と、
データ送信を可能にするために前記複数のワイアレスノード内の１組のワイアレスノードにマルチキャストメッセージを送信する手順と、
前記１組のワイアレスノードからデータを受信する手順と、
バックオフの処理手続きを使用してトレーニング要求メッセージを送信する手順と
をコンピュータに実行させ、前記マルチキャストメッセージは、前記第１のワイアレスノードによる前記送信機会中の送信を可能にするための承認と、２つかそれ以上の他のワイアレスノードが前記送信機会中にデータを送信するためのパラメータの指示とを備える、ワイアレス通信用のプログラム。
【請求項３８】
ひとつかそれ以上のアンテナと、
前記ひとつかそれ以上のアンテナを通じて、複数のワイアレスノード内の第１のワイアレスノードから、送信機会中にデータを送信するための要求を、媒体へのアクセスコンテンションプロセスの一部として受信するように構成された受信機と、
データ送信を可能にするために前記複数のワイアレスノード内のほかのワイアレスノードへマルチキャストメッセージを送信するように構成された送信機と、
を備え、前記マルチキャストメッセージは、前記第１のワイアレスノードによる前記送信機会中の送信を可能にするための承認と、２つかそれ以上の他のワイアレスノードが前記送信機会中にデータを送信するためのパラメータの指示とを備え、前記受信機は、前記ほかのワイアレスノードからデータを受信するようにさらに構成され、前記送信機は、バックオフの処理手続きを使用してトレーニング要求メッセージを送信するようにさらに構成される、アクセスポイント。
【請求項３９】
複数の他のワイアレスノードと媒体へのアクセスを競うことと、
前記競うワイアレスノード内のひとつから受信された要求への応答として、１組のワイアレスノードへの、データ送信を可能にするマルチキャストメッセージを受信することと、ここで、前記マルチキャストメッセージは、競うワイアレスノードによる送信機会中の送信を可能にするための承認と、２つかそれ以上の他のワイアレスノードが前記送信機会中にデータを送信するためのパラメータの指示とを備える、
前記マルチキャストメッセージに基づいてデータを送信することと、
バックオフの処理手続きを使用してトレーニング要求メッセージを受信することと
を備える、ワイアレス通信用の方法。
【請求項４０】
データの前記送信に基づいてブロック肯定応答を受信することをさらに備える請求項３９の方法。
【請求項４１】
前記マルチキャストメッセージが送信持続時間を備え、ならびに前記方法が前記送信持続時間に基づいた予め決められた期間の間ブロック肯定応答を待つことをさらに備える請求項４０に記載の方法。
【請求項４２】
複数の他のワイアレスノードと媒体へのアクセスを競うように、
前記競うワイアレスノード内のひとつから受信された要求への応答として、１組のワイアレスノードへの、データ送信を可能にするマルチキャストメッセージを受信するように、ここで、前記マルチキャストメッセージは、競うワイアレスノードによる送信機会中の送信を可能にするための承認と、２つかそれ以上の他のワイアレスノードが前記送信機会中にデータを送信するためのパラメータの指示とを備える、
前記マルチキャストメッセージに基づいてデータを送信するように、
バックオフの処理手続きを使用してトレーニング要求メッセージを受信するように
構成された処理システムを備えるワイアレス通信用の装置。
【請求項４３】
前記処理システムがデータの前記送信に基づいてブロック肯定応答を受信するようにさらに構成される請求項４２に記載の装置。
【請求項４４】
前記マルチキャストメッセージが送信持続時間を備え、ならびに前記処理システムが前記送信持続時間に基づいて予め決められた期間の間前記ブロック肯定応答を待つようにさらに構成される請求項４３の装置。
【請求項４５】
複数の他のワイアレスノードと媒体へのアクセスを競うための手段と、
前記競うワイアレスノード内のひとつから受信された要求への応答として、１組のワイアレスノードへの、データ送信を可能にするマルチキャストメッセージを受信するための手段と、ここで、前記マルチキャストメッセージは、競うワイアレスノードによる送信機会中の送信を可能にするための承認と、２つかそれ以上の他のワイアレスノードが前記送信機会中にデータを送信するためのパラメータの指示とを備える、
前記マルチキャストメッセージに基づいてデータを送信するための手段と、
バックオフの処理手続きを使用してトレーニング要求メッセージを受信するための手段と
を備えるワイアレス通信用の装置。
【請求項４６】
複数のワイアレスノード内の第１のワイアレスノードにおいて、ひとつかそれ以上の他のワイアレスノードと媒体へのアクセスを競う手順と、
前記第１のワイアレスノードにおいて、データ送信を可能にするマルチキャストメッセージを受信する手順と、
前記マルチキャストメッセージに基づいてデータを送信する手順と、
バックオフの処理手続きを使用してトレーニング要求メッセージを受信する手順と、
をコンピュータに実行させ、前記マルチキャストメッセージは、競うワイアレスノードによる送信機会中の送信を可能にするための承認と、２つかそれ以上の他のワイアレスノードが前記送信機会中にデータを送信するためのパラメータの指示とを備える、ワイアレス通信用のプログラム。
【請求項４７】
アンテナと、
前記アンテナに連結され、前記アンテナを使用して複数の他のワイアレスノードと媒体へのアクセスを競うように構成されたプロセッサと、
前記競うワイアレスノード内のひとつから受信された要求への応答として、１組のワイアレスノードへの、データ送信を可能にするマルチキャストメッセージを受信するように構成された受信機と、ここで、前記マルチキャストメッセージは、競うワイアレスノードによる送信機会中の送信を可能にするための承認と、２つかそれ以上の他のワイアレスノードが前記送信機会中にデータを送信するためのパラメータの指示とを備える、
前記マルチキャストメッセージに基づいてデータを送信するように構成された送信機と、
を備え、前記受信機は、バックオフの処理手続きを使用してトレーニング要求メッセージを受信するようにさらに構成される、局。
【手続補正２】
【補正対象書類名】明細書
【補正対象項目名】００７３
【補正方法】変更
【補正の内容】
【００７３】
前記の説明は、どの当業者も十分に本開示の全ての範囲を理解することを可能にするために提供される。本明細書で開示された様々な構成への修正は当業者には容易に明らかであるだろう。従って、特許請求の範囲は本明細書で説明された本開示の様々な態様に制限されるように意図されていないが、特許請求の範囲の用語に矛盾しない全ての範囲が与えられるべきである。そこでは単数形の要素への参照は「ひとつおよびただひとつ」を、特別にそのように言及されていない限り意味するように意図されておらず、むしろ「ひとつもしくはそれ以上」を意味するように意図されている。特別に別の方法で言及されない限り、用語「いくらか」はひとつかそれ以上を指す。要素の組み合わせの少なくともひとつ（例えば「少なくともＡ，ＢもしくはＣのひとつ」）を記載する請求項は記載された要素のひとつかそれ以上（例えば「Ａ、もしくはＢ，もしくはＣ、もしくはそれらの任意の組み合わせ」）を指す。当業者には既知の、あるいは後に知ることになる本開示全体を通じて説明される様々な態様の要素の構造的および機能的均等物のすべては参照によって本明細書で明白に組み込まれ、ならびに請求項によって包含されることが意図されている。さらには、本明細書で開示されたものは何も、そのような開示が請求項で明示的に記載されているかどうかに関わらず、公共に捧げられるように意図されていない。請求項の要素はどれも、その要素が「のための手段」というフレーズを使用して明白に記載されない限り、あるいは方法の請求項の場合その要素が「のためのステップ」というフレーズを使用して記載されない限り、米国特許法１１２条、第６段落の規定の下、解釈されるべきではない。
以下に、本願出願の当初の特許請求の範囲に記載された発明を付記する。
［Ｃ１］
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとを備えるワイアレス通信用の方法。
［Ｃ２］
前記要求が媒体へのアクセスコンテンションプロセスの一部として受信されるＣ１に記載の方法。
［Ｃ３］
前記媒体へのアクセスコンテンションプロセスがＥＤＣＡに基づくアクセスコンテンションを備えるＣ２に記載の方法。
［Ｃ４］
前記マルチキャストメッセージがデータ送信を可能にするために前記１組のワイアレスノード内の少なくともひとつのワイアレスノード用の承認を備えるＣ１に記載の方法。
［Ｃ５］
前記承認は、前記１組のワイアレスノード内の前記少なくともひとつのワイアレスノードが送信動作を実行するための媒体のリザベーションを備えるＣ４に記載の方法。
［Ｃ６］
前記承認は、前記１組のワイアレスノード内の前記少なくともひとつのワイアレスノードが送信動作を実行する最長の持続時間を備えるＣ４に記載の方法。
［Ｃ７］
利用可能な通信リソースもしくはＱｏＳ要件の少なくともひとつに基づいて前記１組のワイアレスノード内の前記ワイアレスノードを選択することをさらに備えるＣ１に記載の方法。
［Ｃ８］
前記１組のワイアレスノードにチャネルトレーニング情報の要求を送信することをさらに備え、前記１組が前記ワイアレスノードを備えるＣ１に記載の方法。
［Ｃ９］
前記チャネルトレーニング情報を受信することをさらに備えるＣ８に記載の方法。
［Ｃ１０］
前記マルチキャストメッセージが空間ストリーム値、ＭＣＳ値もしくはパワーオフセット値の少なくともひとつを備えるＣ１に記載の方法。
［Ｃ１１］
前記１組のワイアレスノード内の前記ワイアレスノードの少なくともひとつおよび前記ワイアレスノードからデータ送信を受信することをさらに備えるＣ１に記載の方法。
［Ｃ１２］
前記１組のワイアレスノード内の前記ワイアレスノードの前記少なくともひとつおよび前記ワイアレスノードにブロック肯定応答メッセージを送信することをさらに備えるＣ１１に記載の方法。
［Ｃ１３］
前記受信されたデータ送信が同時に送信されていたＣ１１に記載の方法。
［Ｃ１４］
複数のワイアレスノード内のひとつのワイアレスノードからデータを送信するための要求を受信するように、
データ送信を可能にするために前記複数のワイアレスノード内の１組のワイアレスノードにマルチキャストメッセージを送信するように構成される処理システムを備えるワイアレス通信用の装置。
［Ｃ１５］
前記要求が媒体へのアクセスコンテンションプロセスの一部として受信されるＣ１４に記載の装置。
［Ｃ１６］
前記媒体へのアクセスコンテンションプロセスがＥＤＣＡに基づくアクセスコンテンションを備えるＣ１５に記載の装置。
［Ｃ１７］
前記マルチキャストメッセージがデータ送信を可能にするために前記１組のワイアレスノード内の少なくともひとつのワイアレスノード用の承認を備えるＣ１４に記載の装置。
［Ｃ１８］
前記承認は、前記１組のワイアレスノード内の前記少なくともひとつのワイアレスノードが送信動作を実行するための媒体のリザベーションを備えるＣ１７に記載の装置。
［Ｃ１９］
前記承認は、前記１組のワイアレスノード内の前記少なくともひとつのワイアレスノードが送信動作を実行できる最長の持続時間を備えるＣ１７の装置。
［Ｃ２０］
前記処理システムが利用可能な通信リソースもしくはＱｏＳ要件の少なくともひとつに基づいて前記１組のワイアレスノード内の前記ワイアレスノードを選択するようにさらに構成されるＣ１４に記載の装置。
［Ｃ２１］
前記処理システムが前記１組のワイアレスノードにチャネルトレーニング情報の要求を送信するようにさらに構成され、前記１組が前記ワイアレスノードを備えるＣ１４に記載の装置。
［Ｃ２２］
前記処理システムが前記チャネルトレーニング情報を受信するようにさらに構成されるＣ２１に記載の装置。
［Ｃ２３］
前記マルチキャストメッセージが空間ストリーム値、ＭＣＳ値もしくはパワーオフセット値の少なくともひとつを備えるＣ１４に記載の装置。
［Ｃ２４］
前記処理システムが前記１組のワイアレスノード内の前記ワイアレスノードの少なくともひとつおよび前記ワイアレスノードからデータ送信を受信するようにさらに構成されるＣ１４に記載の装置。
［Ｃ２５］
前記処理システムが前記１組のワイアレスノード内の前記ワイアレスノードの前記少なくともひとつおよび前記ワイアレスノードにブロック肯定応答メッセージを送信するようにさらに構成されるＣ２４に記載の装置。
［Ｃ２６］
前記受信されたデータ送信が同時に送信されていたＣ２４に記載の装置。
［Ｃ２７］
複数のワイアレスノード内のひとつのワイアレスノードからデータを送信するための要求を受信するための手段と、
データ送信を可能にするために前記複数のワイアレスノード内の１組のワイアレスノードにマルチキャストメッセージを送信するための手段とを備えるワイアレス通信用の装置。
［Ｃ２８］
前記要求が媒体へのアクセスコンテンションプロセスの一部として受信されるＣ２７に記載の装置。
［Ｃ２９］
前記媒体へのアクセスコンテンションプロセスはＥＤＣＡに基づくアクセスコンテンションを備えるＣ２８に記載の装置。
［Ｃ３０］
前記マルチキャストメッセージがデータ送信を可能にするために前記１組のワイアレスノード内の少なくともひとつのワイアレスノード用の承認を備えるＣ２７に記載の装置。
［Ｃ３１］
前記承認は、前記１組のワイアレスノード内の前記少なくともひとつのワイアレスノードが送信動作を実行するための媒体のリザベーションを備えるＣ３０に記載の装置。
［Ｃ３２］
前記承認は、前記１組の１組のワイアレスノード内の前記少なくともひとつのワイアレスノードが送信動作を実行する最長の持続時間を備えるＣ３０に記載の装置。
［Ｃ３３］
利用可能な通信リソースもしくはＱｏＳ要件の少なくともひとつに基づいて前記１組のワイアレスノード内の前記ワイアレスノードを選択するための手段をさらに備えるＣ２７に記載の装置。
［Ｃ３４］
前記１組のワイアレスノードにチャネルトレーニング情報の要求を送信するための手段をさらに備え、前記１組が前記ワイアレスノードを備えるＣ２７に記載の装置。
［Ｃ３５］
前記チャネルトレーニング情報を受信するための手段をさらに備えるＣ３４に記載の装置。
［Ｃ３６］
前記マルチキャストメッセージが空間ストリーム値、ＭＣＳ値もしくはパワーオフセット値の少なくともひとつを備えるＣ２７に記載の装置。
［Ｃ３７］
前記１組のワイアレスノード内の少なくともひとつのワイアレスノードおよび前記ワイアレスノードからのデータ送信を受信するための手段をさらに備えるＣ２７に記載の装置。
［Ｃ３８］
前記１組のワイアレスノード内の前記少なくともひとつのワイアレスノードおよび前記ワイアレスノードにブロック肯定応答メッセージを送信するための手段をさらに備えるＣ３７に記載の装置。
［Ｃ３９］
前記受信されたデータ送信が同時に送信されていたＣ３７に記載の装置。
［Ｃ４０］
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとが実行可能な命令を備える機械読み取り可能媒体を備えるワイアレス通信用のコンピュータプログラム製品。
［Ｃ４１］
ひとつかそれ以上のアンテナと、
前記ひとつかそれ以上のアンテナを通じて複数のワイアレスノード内のワイアレスノードからデータを送信するための要求を受信するように構成された受信機と、
データ送信を可能にするために前記複数のワイアレスノード内のほかのワイアレスノードへマルチキャストメッセージを送信するように構成された送信機とを備えるアクセスポイント。
［Ｃ４２］
複数の他のワイアレスノードと媒体へのアクセスを競うことと、
１組のワイアレスノードへのデータ送信を可能にするマルチキャストメッセージを受信することと、
前記マルチキャストメッセージに基づいてデータを送信することとを備えるワイアレス通信用の方法。
［Ｃ４３］
データの前記送信に基づいてブロック肯定応答を受信することをさらに備えるＣ４２の方法。
［Ｃ４４］
前記マルチキャストメッセージが送信持続時間を備え、ならびに前記方法が前記送信持続時間に基づいた予め決められた期間の間ブロック肯定応答を待つことをさらに備えるＣ４３に記載の方法。
［Ｃ４５］
複数の他のワイアレスノードと媒体へのアクセスを競うように、
１組のワイアレスノードへのデータ送信を可能にするマルチキャストメッセージを受信するように、
前記マルチキャストメッセージに基づいてデータを送信するように構成された処理システムを備えるワイアレス通信用の装置。
［Ｃ４６］
前記処理システムがデータの前記送信に基づいてブロック肯定応答を受信するようにさらに構成されるＣ４５に記載の装置。
［Ｃ４７］
前記マルチキャストメッセージが送信持続時間を備え、ならびに前記処理システムが前記送信持続時間に基づいて予め決められた期間の間前記ブロック肯定応答を待つようにさらに構成されるＣ４６の装置。
［Ｃ４８］
複数の他のワイアレスノードと媒体へのアクセスを競うための手段と、
１組のワイアレスノードへのデータ送信を可能にするマルチキャストメッセージを受信するための手段と、
前記マルチキャストメッセージに基づいてデータを送信するための手段とを備えるワイアレス通信用の装置。
［Ｃ４９］
複数のワイアレスノード内のひとつのワイアレスノードからデータを送信するための要求を受信することと、
データ送信を可能にするために前記複数のワイアレスノード内の１組のワイアレスノードにマルチキャストメッセージを送信することとが実行可能な命令を備える機械読み取り可能媒体を備えるワイアレス通信用のコンピュータプログラム製品。
［Ｃ５０］
アンテナと、
前記アンテナに連結され、前記アンテナを使用して複数の他のワイアレスノードと媒体へのアクセスを競うように構成されたプロセッサと、
１組のワイアレスノードへのデータ送信を可能にするマルチキャストメッセージを受信するように構成された受信機と、
前記マルチキャストメッセージに基づいてデータを送信するように構成された送信機とを備える局。
【外国語明細書】
2014239475000001.pdf